(57)【要約】【課題】ドライバビットをねじの頭部に係合させる時に、当該頭部の塗装が剥がれるのを防止する。【解決手段】ねじ１は、表面にドライバビットが係合する穴である係合部１０が形成された頭部２を有し、係合部１０は、ねじ１の軸芯上に配置された中央部１１と、それぞれ中央部１１から放射方向に延びる複数の溝部１２と、互いに隣接する溝部１２の間において、表面２１から中央部１１に向かって下り傾斜する傾斜部１３と、を備える。【選択図】図１
2015001241.tif 000002
【特許請求の範囲】
【請求項１】
表面にドライバビットが係合する穴である係合部が形成された頭部を有するねじであって、
前記係合部は、
前記ねじの軸芯上に配置された中央部と、
それぞれ前記中央部から放射方向に延びる複数の溝部と、
互いに隣接する前記溝部の間において、前記頭部の表面から前記中央部に向かって下り傾斜する傾斜部と、を備えるねじ。
【発明の詳細な説明】
【技術分野】
【０００１】
本発明は、ねじに関し、詳しくは、表面にドライバビットが係合する穴である係合部が形成された頭部を有するねじに関する。
【背景技術】
【０００２】
従来より、ねじの中には、表面にドライバビットが係合する穴である係合部が形成された頭部に、予め塗料が塗布されているものがある。
【０００３】
ところが、この係合部に、ドライバビットを係合させて締め付け力を加えると、ドライバビットが係合部の頭部表面側の側壁に接触して、頭部表面が僅かでも盛り上がる等して変形する場合がある。このような場合、頭部に塗布されている塗料が浮き上がったり、削り取られたりして、塗装が剥がれ、ねじ頭部外観の美観が損なわれる。
【０００４】
そこで、ドライバビットが係合する十字形状の駆動穴を有するねじ部品において、中心から十字方向に延びた係合溝を構成する両側壁の頭部表面側にこの表面側の間隔が広い段付き側壁を形成し、一方、係合溝の底面側に通常の十字形状の係合溝と同様の幅を有する平面状の係合側壁を形成し、段付き側壁と平面状の係合側壁とを一体になるよう接続した駆動穴を形成したねじ部品が提案されている（特許文献１）。
このねじ部品によれば、ドライバビットを係合させて、ねじ締め駆動しても係合溝の頭部表面付近にはドライバビットが作用しないので、頭部表面にほとんど変形が生じず、塗装が剥がれたり、塗料が浮いたりしてこのねじで組み立てられる製品の美観を損なうことを防止できる。
【先行技術文献】
【特許文献】
【０００５】
【特許文献１】特開２０１１−２２６５２０号公報
【発明の概要】
【発明が解決しようとする課題】
【０００６】
しかしながら、予め頭部に塗料が塗布されねじの塗装が剥がれるのは、係合部にドライバビットを係合させて締め付ける場合に限らない。
即ち、係合部にドライバビットを係合させる場合、ドライバビットの先端を係合部の中心に向けて、ねじの頭部に近接させる。このとき、ドライバビットの先端が、係合部の中心からズレて、係合部の中心近傍の頭部に接触して、頭部の塗装が剥がれる場合がある。
【０００７】
本発明は、ドライバビットをねじの頭部に係合させる時に、当該頭部の塗装が剥がれるのを防止することを目的とする。
【課題を解決するための手段】
【０００８】
表面にドライバビットが係合する穴である係合部が形成された頭部を有するねじであって、
前記係合部は、
前記ねじの軸芯上に配置された中央部と、
それぞれ前記中央部から放射方向に延びる複数の溝部と、
互いに隣接する前記溝部の間において、前記頭部の表面から前記中央部に向かって下り傾斜する傾斜部と、を備えるねじ。
【０００９】
上記構成によれば、ねじは、表面にドライバビットが係合する穴である係合部が形成された頭部を有する。
係合部は、中央部と、複数の溝部と、傾斜部と、を備える。
中央部は、ねじの軸芯上に配置されている。
複数の溝部は、それぞれ中央部から放射方向に延びる。
傾斜部は、互いに隣接する溝部の間において、頭部の表面から中央部に向かって下り傾斜する。
【００１０】
このような構成によれば、係合部にドライバビットを係合させる場合、ドライバビットの先端を中央部に向けて、ねじの頭部に近接させる。このとき、ドライバビットの先端が、中央部からズレたとしても、その先端が傾斜部に当接する。このとき、傾斜部は、頭部の表面から中央部に向かって下り傾斜しているので、当接したドライバビットの先端を中央部に導くことができる。
【００１１】
これにより、ドライバビットをねじの頭部に近接させる力を、中央部に受け流すことができるので、ねじの頭部に塗装されていたとしても、この塗装面に多大な力が掛かり、塗装が剥がれるのを防止できる。
したがって、ドライバビットをねじの頭部に係合させる時に、当該頭部の塗装が剥がれるのを防止できる。
【発明の効果】
【００１２】
本発明によれば、ドライバビットをねじの頭部に係合させる時に、当該頭部の塗装が剥がれるのを防止できる。
【図面の簡単な説明】
【００１３】
【図１】本発明の実施形態に係るねじの斜視図である。
【図２】前記実施形態に係るねじの上面図である。
【図３】前記実施形態に係るねじの図２に示すＡＡ’方向断面図である。
【発明を実施するための形態】
【００１４】
本発明の実施形態に係るねじ１について説明する。なお、以下の説明において、同一の構成には同一の符号を付し、その説明を省略又は簡略化する。
本発明の実施形態に係るねじ１の構成を図面に基づいて説明する。
図１は、本発明の実施形態に係るねじ１の斜視図である。
ねじ１は、頭部２と、軸部３と、を備える。
頭部２は、表面２１にドライバビットが係合する穴である係合部１０が形成されている。
軸部３は、頭部２の裏面に接続され、外表面にねじ山が形成されている。
【００１５】
図２は、前記実施形態に係るねじ１の上面図である。
係合部１０は、中央部１１と、４つの溝部１２と、４つの傾斜部１３と、を備える。
本実施形態では、係合部１０の形状は、プラスドライバを係合させるための形状に形成されているが、係合部１０の形状は、ねじ１と係合され締め付けるために使用されるドライバビットの形状に応じた形状とすることができる。
【００１６】
中央部１１は、軸部３（図１参照）の軸芯Ｃ上に配置されている。
４つの溝部１２は、中央部１１の中心（軸芯Ｃ）から放射方向に延びて形成されている。
本実施形態では、溝部１２の数は、４つの羽根を有するプラスドライバに応じて４つ形成しているが、例えば、６つの羽根を有するドライバを係合させる場合には、６つとすることができる。即ち、溝部１２の数は、ねじ１と係合され締め付けるために使用されるドライバビットの形状に応じて異なる。
【００１７】
図３は、前記実施形態に係るねじ１の図２に示すＡＡ’方向断面図である。
傾斜部１３は、図２に示すように互いに隣接する溝部１２の間において、図３に示すように頭部２の表面２１から中央部１１に向かって下り傾斜して形成されている。
傾斜部１３は、図２に示すように互いに隣接する溝部１２の間に形成されるので、その数は、溝部１２と同じ数だけ形成されている。即ち、本実施形態では、傾斜部１３の数は４つであるが、溝部１２の数が６つの場合には、傾斜部１３の数は６つとなる。
【００１８】
なお、ねじ１には、更に、傾斜部１３から溝部１２に下り傾斜する溝部側傾斜部を設けてもよい。これにより、傾斜部１３に当接したドライバビットの先端をよりスムースに中央部１１に導くことができる。
【００１９】
次に、本発明の実施形態に係るねじ１の作用効果について説明する。
本実施形態に係るねじ１によれば、係合部１０にドライバビットを係合させる場合、ドライバビットの先端を中央部１１に向けて、ねじ１の頭部２に近接させる。このとき、ドライバビットの先端が、中央部１１からズレたとしても、その先端が傾斜部１３に当接する。このとき、傾斜部１３は、頭部２の表面２１から中央部１１に向かって下り傾斜しているので、当接したドライバビットの先端を中央部１１に導くことができる。
【００２０】
これにより、ドライバビットをねじ１の頭部２に近接させる力を、中央部１１に受け流すことができるので、ねじ１の頭部２が塗装されていたとしても、この塗装面に多大な力が掛かり、塗装が剥がれるのを防止できる。
したがって、ドライバビットをねじの頭部に係合させる時に、当該頭部の塗装が剥がれるのを防止できる。
【００２１】
なお、本発明は前記実施形態に限定されるものではなく、本発明の目的を達成できる範囲での変形、改良等は本発明に含まれるものである。
【符号の説明】
【００２２】
１    ねじ  
２    頭部  
２１  頭部表面  
１０  係合部  
１１  中央部  
１２  複数の溝部  
１３  傾斜部  
３    軸部  
【図１】
2015001241.tif 000003
【図２】
2015001241.tif 000004
【図３】
2015001241.tif 000005